(57)【要約】【課題】チェーン接続を想定したアーキテクチャを有する無線装置であっても、該アーキテクチャを損なうことなく、簡易かつ安価なインタフェースで接続でき、無線装置間で保守監視情報を送受信できるようにする。【解決手段】無線装置及び無線制御装置を有して構成される無線通信システムであって、無線装置は、高速回線と接続するための高速インタフェース部、低速回線と接続するための低速インタフェース部、低速インタフェース部を介して取得したデータを多重化する中間多重処理部を備え、他の無線装置との間で、低速インタフェース部を介して、無線装置の保守監視データを送受信し、低速インタフェース部を介して受信された保守監視データを中間多重処理部で多重化し、無線制御装置との間で、高速インタフェース部を介して、多重化した保守監視データを前記無線制御装置へ送信する。【選択図】図１
2010171739.tif 000002
【特許請求の範囲】
【請求項１】
無線装置と、前記無線装置を監視制御する無線制御装置と、を有して構成される無線通信システムであって、
前記無線装置は、
高速回線と接続してデータ通信を行うための高速インタフェース部と、
低速回線と接続してデータ通信を行うための低速インタフェース部と、
前記低速インタフェース部を介して取得したデータを多重化する中間多重処理部と、
を備え、
他の無線装置との間で、前記低速インタフェース部を介して、無線装置の保守監視データを送受信し、
前記低速インタフェース部を介して受信された保守監視データを前記中間多重処理部で多重化し、
前記無線制御装置との間で、前記高速インタフェース部を介して、前記多重化した保守監視データを前記無線制御装置へ送信することを特徴とする無線通信システム。
【請求項２】
前記中間多重処理部は、前記高速インタフェース部を介して前記無線制御装置から取得された自装置の保守監視データと前記低速インタフェース部を介して受信された他の無線装置の保守監視データとを多重化して中間保守監視データを生成し、前記中間保守監視データを用いてさらに多重化され新たに生成された最終保守監視データを、前記低速インタフェース部を介して他の無線装置に送信することを特徴とする請求項１に記載の無線通信システム。
【請求項３】
前記中間多重処理部は、前記高速インタフェース部を介して前記無線制御装置から取得された自装置の保守監視データと前記低速インタフェース部を介して受信された他の無線装置の保守監視データとを多重化して中間保守監視データを生成する第１中間処理部を有することを特徴とする請求項１又は２に記載の無線通信システム。
【請求項４】
前記中間多重処理部は、前記高速インタフェース部を介して前記無線制御装置から取得された自装置の保守監視データと前記低速インタフェース部を介して受信された他の無線装置の保守監視データとが多重化され生成された中間保守監視データを終端処理し、該データに自装置内の他の処理部の保守監視データをさらに多重化して最終保守監視データを生成する保守監視部を有することを特徴とする請求項１から３のいずれか１項に記載の無線通信システム。
【請求項５】
前記中間多重処理部は、前記高速インタフェース部を介して前記無線制御装置から取得された自装置の保守監視データ、前記低速インタフェース部を介して受信された他の無線装置の保守監視データ、自装置内の他の処理部の保守監視データが多重化され生成された最終保守監視データを、前記低速インタフェース部を介して他の無線装置へ送信することを特徴とする請求項１から４のいずれか１項に記載の無線通信システム。
【請求項６】
監視制御を行う無線制御装置とともに無線通信システムを構成する無線装置であって、
高速回線と接続してデータ通信を行うための高速インタフェース部と、
低速回線と接続してデータ通信を行うための低速インタフェース部と、
前記低速インタフェース部を介して取得したデータを多重化する中間多重処理部と、
を備え、
他の無線装置との間で、前記低速インタフェース部を介して、無線装置の保守監視データを送受信し、
前記低速インタフェース部を介して受信された保守監視データを前記中間多重処理部で多重化し、
前記無線制御装置との間で、前記高速インタフェース部を介して、前記多重化した保守監視データを前記無線制御装置へ送信することを特徴とする無線装置。
【請求項７】
前記中間多重処理部は、前記高速インタフェース部を介して前記無線制御装置から取得された自装置の保守監視データと前記低速インタフェース部を介して受信された他の無線装置の保守監視データとを多重化して中間保守監視データを生成し、前記中間保守監視データを用いてさらに多重化され新たに生成された最終保守監視データを、前記低速インタフェース部を介して他の無線装置に送信することを特徴とする請求項６に記載の無線装置。
【請求項８】
前記中間多重処理部は、前記高速インタフェース部を介して前記無線制御装置から取得された自装置の保守監視データと前記低速インタフェース部を介して受信された他の無線装置の保守監視データとを多重化して中間保守監視データを生成する第１中間処理部を有することを特徴とする請求項６又は７に記載の無線装置。
【請求項９】
前記中間多重処理部は、前記高速インタフェース部を介して前記無線制御装置から取得された自装置の保守監視データと前記低速インタフェース部を介して受信された他の無線装置の保守監視データとが多重化され生成された中間保守監視データを終端処理し、該データに自装置内の他の処理部の保守監視データをさらに多重化して最終保守監視データを生成する保守監視部を有することを特徴とする請求項６から８のいずれか１項に記載の無線装置。
【請求項１０】
前記中間多重処理部は、前記高速インタフェース部を介して前記無線制御装置から取得された自装置の保守監視データ、前記低速インタフェース部を介して受信された他の無線装置の保守監視データ、自装置内の他の処理部の保守監視データが多重化され生成された最終保守監視データを、前記低速インタフェース部を介して他の無線装置へ送信することを特徴とする請求項６から９のいずれか１項に記載の無線装置。
【請求項１１】
無線装置と、前記無線装置を監視制御する無線制御装置と、を有して構成される無線通信システムにおける保守監視方法であって、
前記無線装置は、高速回線と接続してデータ通信を行うための高速インタフェース部と、低速回線と接続してデータ通信を行うための低速インタフェース部と、を備え、
前記無線装置において、
前記高速インタフェースを介して、前記無線制御装置から無線装置の保守監視データを受信して自装置の保守監視データを取得するステップと、
前記低速インタフェース部を介して、他の無線装置から該装置の保守監視データを受信するステップと、
前記取得した自装置の保守監視データと前記受信した他の無線装置の保守監視データを用いて多重化するステップと、
前記低速インタフェース部を介して、前記多重化されて生成された保守監視データを他の無線装置に送信するステップと、
前記高速インタフェース部を介して、前記多重化されて生成された保守監視データを前記無線制御装置へ送信するステップと、
を有することを特徴とする保守監視方法。
【請求項１２】
前記多重化するステップは、前記高速インタフェース部を介して前記無線制御装置から取得された自装置の保守監視データと前記低速インタフェース部を介して受信された他の無線装置の保守監視データとを多重化して中間保守監視データを生成し、前記中間保守監視データを用いてさらに多重化され新たに生成された最終保守監視データを、前記低速インタフェース部を介して他の無線装置に送信することを特徴とする請求項１１に記載の保
守監視方法。
【発明の詳細な説明】
【技術分野】
【０００１】
本発明は、無線通信システム、無線装置及び保守監視方法に関し、特に、例えば遠隔地に設置された無線装置へ信号伝送を行う手段としての高速インタフェースを用いた無線通信システムに好ましく適用される技術に関するものである。
【背景技術】
【０００２】
近年、無線通信システムにおいて、無線制御装置と無線装置とが離れた場所に設置され、その間を光ファイバ等の高速回線で結ぶ１対ｎの接続形態が一般化している。また、無線制御装置と無線装置との間のインタフェース部に、ＣＰＲＩ（Common Public Radio Interface）を用いるケースが増加している。
【０００３】
ＣＰＲＩを用いた無線通信システムの例として、図６に構成図を示すようなものがある。当該システムでは、遠隔設置された無線装置への信号伝送を行う手段として公開されているＣＰＲＩを採用している。すなわち、無線通信システムを構成する無線制御装置と無線装置とがＣＰＲＩを介して接続され、データ通信を行っている。ＲＥＣ（Radio Equipment Control）は無線制御装置を表し、ＲＥ（Radio Equipment）は無線装置を表す。ＣＰＲＩのインタフェースには、第１無線装置（ＲＥ（Ｍａｓｔｅｒ  Ｕｎｉｔ））１１０と第２無線装置（ＲＥ）１２０を連続接続するチェーン型のインタフェースも用意されており、ＣＰＲＩ信号内部に収容されているユーザデータと保守監視信号を複数の無線装置分中継する機能も有している。
【０００４】
図６に示す無線装置の構成及び動作について述べる。無線制御装置８から伝送されたＣＰＲＩ信号は、インタフェース部（ＩＮＦ）２１を介して第１無線装置１１０に入力する。多重処理部（ＤＥＭＵＸ／ＭＵＸ）３ｄは、このデータ系列から第１無線装置１１０に割り当てられた領域のデータを分離し、ユーザデータ（Ｕｄ）を無線ユニット（ＲＦＵ）５ｒに、保守監視データ（Ｃｄ）を監視ユニット（ＳＶ  Ｕｎｉｔ）５ｓに出力する。第２無線装置１２０やそれ以降にチェーン接続されたその他の無線装置へのＣＰＲＩデータはそのまま伝送され、インタフェース部（ＩＮＦ）２１ｂを介して第２無線装置１２０に転送される。
【０００５】
監視ユニット５ｓは、第１無線装置１１０内部のユニットの保守監視信号（例えば該無線装置が有する無線ユニット５ｒの警報信号、該無線装置が有するその他のユニット（Ｏｔｈｅｒ  Ｕｎｉｔ）５ｔの警報信号、該無線装置の外部に設置された外部装置（ＥＸ  Ｕｎｉｔ）７の警報信号等）を統合し、保守監視データ（Ｃｕ）を生成する機能を有する。生成された保守監視データ（Ｃｕ）は、同じく無線ユニット５ｒにて処理されたユーザデータ（Ｕｕ）とともに多重処理部（ＭＵＸ／ＤＥＭＵＸ）３ｕに入力され、第２無線装置１２０から入力した高速信号に多重処理され、無線制御装置８に送出する。
【０００６】
ところで、特許文献１では、低廉なコストで、ＣＰＲＩを無線制御部と無線部間の内部インタフェースに採用した無線基地局のＣＰＲＩリンク障害に対処する手段として、ＣＰＲＩのベンダ特有領域を用いた回線迂回方式が開示されている。特許文献１の発明では、無線制御部と無線部との間のＣＰＲＩリンクの冗長構成を必要とすることなく、また無線制御部と無線部との間のＣＰＲＩリンクの伝送容量を増加させることなく、無線制御部と無線部との間の迂回ルートを低廉なコストで構築できるようにしている。
【先行技術文献】
【特許文献】
【０００７】
【特許文献１】特開２００８−９９１３７号公報
【発明の概要】
【発明が解決しようとする課題】
【０００８】
上述したように、ＣＰＲＩは、複数の無線装置が無線制御装置から比較的離れてチェーン接続される場合のユーザデータや保守監視データを多重可能で優れた方式を提供する。一方で、例えば大きなトラフィックが想定される大都市部に設置された携帯電話基地局等のエリアでは、無線装置が近接して設置される場合が多い。この場合、図７に示すように、無線装置が無線制御装置の近くに設置されるため、各無線装置はチェーン接続ではなくＣＰＲＩリンクで無線制御装置に直接接続されるケースが多い。このように各無線装置が無線制御装置と直接接続される場合、チェーン接続用のインタフェース（ＩＮＦ２１ｂ）は使用されず、システム的に過剰な構成となってしまう。
【０００９】
一方で、無線装置は、無線制御装置のみならず、他の無線装置と接続して保守監視データを送受信できるようにすることが望ましい。無線制御装置とのＣＰＲＩリンクに障害がある場合、その接続先の無線装置の保守監視データを無線制御装置に送ることができず、無線制御装置による無線装置異常の把握が困難となってしまうためである。もっとも、上記の構成でもＩＮＦ２１ｂを用いて無線装置同士を接続することは可能である。しかし、比較的長距離の接続が考慮されたＩＮＦ２１ｂは、光／電気変換モジュール等の高価なデバイスが用いられることが多く、比較的近くに設置された無線装置を接続するシステム構成としてコスト高となってしまう。したがって、コストを考慮して無線装置を比較的近くに設置する場合には、より安価なインタフェースを用いる必要がある。また、無線制御装置との直接接続及び無線装置同士の接続と、チェーン接続との両方に対応できるようにするため、既存の無線装置の装備（機器内部の実装やチェーン接続のアーキテクチャ）を損なうことなく活用することが好ましい。
【００１０】
上記の特許文献１は、低廉なコストで無線制御装置と無線装置間のＣＰＲＩリンク障害に対処できるようにすることを目的としたもので、無線装置がチェーン接続でなく無線制御装置にＣＰＲＩで直接接続された場合のシステム的な過剰な構成を解消しようとするものではない。また、該接続形態において安価なインタフェースにより無線装置同士を通信させるようとするものではない。
【００１１】
そこで、本発明は、チェーン接続を想定したアーキテクチャを有する無線装置であっても、該アーキテクチャを損なうことなく、簡易かつ安価なインタフェースで接続でき、無線装置間で保守監視情報を送受信できるようにすることを目的とする。
【課題を解決するための手段】
【００１２】
かかる目的を達成するために、本発明の無線通信システムは、無線装置と、無線装置を監視制御する無線制御装置と、を有して構成される無線通信システムであって、無線装置は、高速回線と接続してデータ通信を行うための高速インタフェース部と、低速回線と接続してデータ通信を行うための低速インタフェース部と、低速インタフェース部を介して取得したデータを多重化する中間多重処理部と、を備え、他の無線装置との間で、低速インタフェース部を介して、無線装置の保守監視データを送受信し、低速インタフェース部を介して受信された保守監視データを中間多重処理部で多重化し、無線制御装置との間で、高速インタフェース部を介して、多重化した保守監視データを前記無線制御装置へ送信する。
【００１３】
また、本発明の無線装置は、監視制御を行う無線制御装置とともに無線通信システムを構成する無線装置であって、高速回線と接続してデータ通信を行うための高速インタフェース部と、低速回線と接続してデータ通信を行うための低速インタフェース部と、低速イ
ンタフェース部を介して取得したデータを多重化する中間多重処理部と、を備え、他の無線装置との間で、低速インタフェース部を介して、無線装置の保守監視データを送受信し、低速インタフェース部を介して受信された保守監視データを中間多重処理部で多重化し、無線制御装置との間で、高速インタフェース部を介して、多重化した保守監視データを無線制御装置へ送信する。
【００１４】
また、本発明の保守監視方法は、無線装置と、無線装置を監視制御する無線制御装置と、を有して構成される無線通信システムにおける保守監視方法であって、無線装置は、高速回線と接続してデータ通信を行うための高速インタフェース部と、低速回線と接続してデータ通信を行うための低速インタフェース部と、を備え、無線装置において、高速インタフェースを介して、無線制御装置から無線装置の保守監視データを受信して自装置の保守監視データを取得するステップと、低速インタフェース部を介して、他の無線装置から該装置の保守監視データを受信するステップと、取得した自装置の保守監視データと受信した他の無線装置の保守監視データを用いて多重化するステップと、低速インタフェース部を介して、多重化されて生成された保守監視データを他の無線装置に送信するステップと、高速インタフェース部を介して、多重化されて生成された保守監視データを前記無線制御装置へ送信するステップと、を有する。
【発明の効果】
【００１５】
本発明によれば、チェーン接続を想定したアーキテクチャを有する無線装置であっても、該アーキテクチャを損なうことなく、簡易かつ安価なインタフェースで接続でき、無線装置間で保守監視情報を送受信することが可能となる。
【図面の簡単な説明】
【００１６】
【図１】本発明に係る無線通信システムの構成を示した図である。
【図２】本発明の実施形態に係る無線装置の内部構成を示したブロック図である。
【図３】本発明の実施形態に係る無線通信システムの構成を示した図である。
【図４】本発明の実施形態に係る無線装置のデータ多重処理を説明するための図である。
【図５】本発明の実施形態に係る無線装置のデータ多重処理を説明するための図である。
【図６】ＣＰＲＩを用いた無線通信システムの一構成例を示す図である。
【図７】ＣＰＲＩを用いた無線通信システムの一構成例を示す図である。
【発明を実施するための形態】
【００１７】
図１は、本発明に係る無線通信システムの構成を示した図である。当該無線通信システムは、複数の無線装置１０ａ及び１０ｂと無線制御措置２０とを有して構成される。無線装置１０ａは請求項に記載した無線装置に対応し、無線装置１０ｂは請求項に記載した他の無線装置に対応し、無線制御装置２０は請求項に記載した無線制御装置に対応する。なお、図１では他の無線装置として無線装置１０ｂのみ記載したが、他の無線装置は少なくとも１台あればよく、複数台で構成してもよい。また、無線装置１０ａと無線装置１０ｂは、低速インタフェースを介した保守監視データの送信側と受信側で機能的な立場が異なるが、同様の構成を有しており同じ動作を行うため、無線装置１０ａについてのみ説明する。
【００１８】
無線装置１０ａは、高速インタフェース部１１ａ、中間多重処理部１２ａ、低速インタフェース部１６ａを備える。また、高速インタフェース部１１ａは請求項に記載した高速インタフェース部に対応し、中間多重処理部１２ａは請求項に記載した中間多重処理部に対応し、低速インタフェース部１６ａは請求項に記載した低速インタフェース部に対応する。高速インタフェース部１１ａは、無線制御装置２０と無線装置１０ａを接続し、高速
回線によるデータ通信を行うためのインタフェースである。低速インタフェース部１６ａは、無線装置１０ａと無線装置１０ｂを接続し、低速回線によるデータ通信を行うためのインタフェースである。
【００１９】
中間多重処理部１２ａは、高速インタフェース部１１ａを介して多重化データを送信する前に、低速インタフェース部１６ａを介して取得されたデータの多重化処理を行う。また、中間多重処理部１２ａは、第１中間処理部１３ａ、保守監視部１４ａ、第２中間処理部１５ａを有する。第１中間処理部１３ａは請求項に記載した第１中間処理部に対応し、保守監視部１４ａは請求項に記載した保守監視部に対応し、第２中間処理部１５ａは請求項に記載した第２中間処理部に対応する。
【００２０】
第１中間処理部１３ａは、高速インタフェース部１１ａを介して取得された無線装置１０ａの保守監視データと低速インタフェース部１６ａを介して取得された他の無線装置（無線装置１０ｂを含む）の保守監視データを多重化し、中間保守監視データを生成する。保守監視部１４ａは、第１中間処理部１３ａで生成された中間保守監視データを終端処理し、さらに無線装置１０ａ内の他の処理部の保守監視データを多重化して最終保守監視データを生成する。第２中間処理部１５ａは、保守監視部１４ａで生成された最終保守監視データを、低速インタフェース部１６ａを介して無線装置１０ｂに送信する。また、第２中間処理部１５ａは、保守監視部１４ａで生成された最終保守監視データを、高速インタフェース部１１ａを介して無線制御装置２０に送信するために多重化を行う処理部に送出する。
【００２１】
以下、図面を参照しながら、本発明の実施形態について説明する。なお、以下の述べる実施形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２２】
図２は、本発明の実施形態に係る無線装置の内部構成を示したブロック図である。本実施形態では、無線制御装置から離れて設置された遠隔設置型の無線装置が無線制御装置と接続されて無線通信システムを構成している。なお、図２では、無線制御装置を省略しているが、図３のようにＩＮＦ（高速のインタフェース部）を介して無線制御装置と接続されている。本実施形態の無線装置１は、ＩＮＦ２１ａ及び２１ｂ、Ｌｏｃａｌ  ＩＮＦ６、ＤＥＭＵＸ／ＭＵＸ３ｄ、ＭＵＸ／ＤＥＭＵＸ３ｕ、Ｃ−ＭＵＸ４ｄ及び４ｕ、ＲＦＵ５ｒ、ＳＶ  Ｕｎｉｔ５ｓ、Ｏｔｈｅｒ  Ｕｎｉｔ５ｔを備える。
【００２３】
ＩＮＦ２１ａは、無線装置１を監視制御する無線制御装置（不図示）との間で高速信号の送受信を行うためのインタフェース部で、光多重信号等構成される高速データ信号の入力端子である。ＩＮＦ２１ｂは、他の無線装置との間で高速信号の送受信を行うためのインタフェース部である。ＩＮＦ２１ａ及び２１ｂは、図１の高速インタフェース部１１ａに相当する。Ｌｏｃａｌ  ＩＮＦ６は、近くに設置された他の無線装置との間で低速信号の送受信を行うためのインタフェース部で、図１の低速インタフェース部１６ａに相当する。なお、ＥＸ  Ｕｎｉｔ７は、無線装置１の近くに設置され、警報等の保守監視信号を発する外部装置である。
【００２４】
ＤＥＭＵＸ／ＭＵＸ３ｄは、ＩＮＦ２１ａを介して受信した信号について、高速の下りユーザデータ（Ｕｄ）と低速の下り保守監視データ（Ｃｄ）に分離するとともに、他の無線装置への伝送信号を再構築する多重処理部である。ＭＵＸ／ＤＥＭＵＸ３ｕは、高速の上りユーザデータ（Ｕｕ）と低速の上り保守監視データ（Ｃｕ）を、ＩＮＦ２１ｂを介して他の無線装置から受信した上りデータへ多重処理し、無線制御装置（不図示）への伝送信号を再構築する多重処理部である。
【００２５】
Ｃ−ＭＵＸ４ｄは、ＤＥＭＵＸ／ＭＵＸ３ｄからの下り保守監視データ（Ｃｄ）とＬｏｃａｌ  ＩＮＦ６からの下り保守監視データ（Ｃｄ２）を多重処理して低速データ（Ｃｄ１）を生成する低速信号の下り多重処理部である。Ｃ−ＭＵＸ４ｕは、多重された低速データ（Ｃｄ１）と無線装置１における保守監視信号が多重されたデータ（Ｃｕ１）を多重処理部３ｕとローカルインタフェース部６に複写伝送する多重処理部である。Ｃ−ＭＵＸ４ｄは図１の第１中間処理部に相当し、Ｃ−ＭＵＸ４ｕは図１の第２中間処理部に相当する。
【００２６】
ＳＶ  Ｕｎｉｔ５ｓは、多重されたデータ（Ｃｕ１）に、無線装置１の保守監視信号（例えば無線装置１が有するＲＦＵ（無線ユニット）５ｒの警報信号、無線装置１が有するＯｔｈｅｒ  Ｕｎｉｔ（その他のユニット）５ｔの警報信号、無線装置１の外部に設置されたＥＸ  Ｕｎｉｔ（外部装置）７の警報信号等）を多重して送出する処理ユニットである。
【００２７】
このようにして、本実施形態では、無線装置１が、下り保守監視データ（Ｃｄ）に無線装置の保守監視データを多重するＣ−ＭＵＸ４ｄと、上り保守監視データ（Ｃｕ）としてＭＵＸ／ＤＥＭＵＸ３ｕで多重化する前の低速信号を分配し、Ｌｏｃａｌ  ＩＮＦ６を介して他の無線装置へ出力するＣ−ＭＵＸ４ｕとを備える。これにより、高速信号に多重する以前の低速データ信号のインタフェースから、本来高速化多重処理が不要な低速信号の授受を高速信号への多重前に低速段階での多重処理を行い、保守監視情報の無線制御装置への転送をフレキシブルかつ安価に提供することが可能となる。
【００２８】
続いて、図４、図５を参照して、本実施形態において無線装置が行う動作についてさらに詳細に説明する。図４、図５は、本実施形態に係る無線装置のデータ多重処理を説明するための図で、（ａ）は無線装置の内部構成のブロック図を表し、（ｂ）はデータ多重処理を表す。
【００２９】
無線装置と無線制御装置との高速信号の授受を行うＩＮＦ２１ａから入力した信号は、ＤＥＭＵＸ／ＭＵＸ３ｄに入力される。ＤＥＭＵＸ／ＭＵＸ３ｄは、ＣＰＲＩインタフェースのフォーマットで規定された高速信号から、当該無線装置に割り当てられた下りユーザデータ（Ｕｄ）と低速の下り保守監視データ（制御用及び管理用の信号領域としてＣ＆Ｍ信号又はベンダ固有領域（Ｖｅｎｄｅｒ  Ｓｐｅｃｉｆｉｃ領域））（Ｃｄ）を分離し、無線装置の内部の処理ユニットに転送する。分離された下り保守監視データ（Ｃｄ）はＣ−ＭＵＸ４ｄに送出される。
【００３０】
ＣＰＲＩ信号には制御用及び管理用の信号領域としてＣ＆Ｍ信号が定義されている。この信号は接続された無線装置の保守監視信号の授受に用いられている領域である。図４（ｂ）に示すように、ＤＥＭＵＸ／ＭＵＸ３ｄは、当該無線装置固有のＣ＆Ｍ信号（データ系列ＣｄのＲＥ１）のみ抽出してＣ−ＭＵＸ４ｄに送出する。そして、このＣ＆Ｍ信号情報・データ領域（図ではＤ１、Ｄ２、Ｄ３と表記）に当該無線装置固有の情報を示すヘッダを付記し、データ系列Ｃｄ１は構成される。
【００３１】
一方で、Ｃ−ＭＵＸ４ｄは、新たに設けられた低速信号用のインタフェース部であるＬｏｃａｌ  ＩＮＦ６を介して取得された信号を多重処理する。このＬｏｃａｌ  ＩＮＦ６から入力する信号は、別の無線装置から入力されるデータ系列Ｃｄ２であり、Ｃｄ１と同様な保守監視情報が複数個実装されているものである。データ系列Ｃｄ２は、複数の無線装置の保守監視情報をシリアル化した情報であり、接続された無線装置分のデータ領域を有する。Ｃ−ＭＵＸ４ｄは、前述したＣｄ１とＣｄ２の２つのデータ系列をあらかじめ決められた様式に従って多重処理する。本例では、ＲＥ１、ＲＥ２、・・・、ＲＥｎのデー
タ系列で示している。ＤＥＭＵＸ／ＭＵＸ３ｄから抽出された保守監視データは、Ｌｏｃａｌ  ＩＮＦ６を介して入力した他の無線装置の保守監視情報を多重化した後、ＳＶ  Ｕｎｉｔ５ｓに送出する。
【００３２】
次に、図５を参照してＳＶ  Ｕｎｉｔ５ｓの処理について述べる。ＳＶ  Ｕｎｉｔ５ｓは、無線制御装置から送出された保守監視信号・データ系列Ｃｄ１の信号を終端処理するとともに、当該無線装置内の他のユニット（例えば無線信号の送受信を処理するＲＦＵ５ｒやＯｔｈｅｒ  Ｕｎｉｔ５ｔ、また無線装置外部から入力するＥＸ  Ｕｎｉｔ７）からの保守監視情報を終端し、新たに当該無線装置の保守監視情報を生成して、データ系列Ｃｕ１としてＣ−ＭＵＸ４ｕに出力する機能を有する。データ系列Ｃｕ１は、データフレームの互換性を考慮し、データ系列Ｃｄ１の様式と合わせるようにしてもよい。
【００３３】
Ｃ−ＭＵＸ４ｕは、データ系列Ｃｕ１をコピーし、ＭＵＸ／ＤＥＭＵＸ３ｕへの信号（データ系列Ｃｕ）と同じデータをＬｏｃａｌ  ＩＮＦ６に出力する機能を有する。ＭＵＸ／ＤＥＭＵＸ３ｕに送られたデータは、ＭＵＸ／ＤＥＭＵＸ３ｕにおけるＣＰＲＩ信号への多重処理を施されて無線制御装置に伝送される。Ｃ−ＭＵＸ４ｕから送られてＭＵＸ／ＤＥＭＵＸ３ｕで多重化されるデータ系列Ｃｕは、Ｌｏｃａｌ  ＩＮＦ６を介して得られた複数の無線装置の保守監視信号を有しており、無線装置のチェーン構成による（高速インタフェースのＩＮＦを介して保守監視情報を取得する）ことなく、全ての無線装置の保守監視情報を取得できることになる。
【００３４】
Ｌｏｃａｌ  ＩＮＦ６を介して授受されるデータ系列は、ＣＰＲＩ信号に多重された低速の保守監視データであるが、ＣＰＲＩで規定されたユーザデータ伝送に対応した高速信号伝送フォーマットによる信号終端を行わないようにしてもよい。この場合、比較的低速のインタフェースを用いてデータ転送することができ、ハードウェア構成を簡素化かつ低コスト化することができる。
【００３５】
また、接続される無線装置の数に対応したフレームフォーマットを有するため、あらかじめ指定されたデータ系列の部分のデータのみ読み出し／書き込みを行うため接続された他の無線装置の情報を損なうことなく信号の授受を行うことができる。信号の授受に際して、複数の無線装置のうちマスタとなる無線装置の設定が行われ、そのマスタ無線装置が最初のフレームフォーマットを出力するとともに、最終終端を行うことになる。このマスタとなる無線装置は、無線制御装置と無線装置を結ぶ複数のＣＰＲＩラインから（唯一の）外部装置の保守監視情報を終端処理することを意図したＣＰＲＩラインの無線装置とすることが好ましい。ＣＰＲＩラインは、インタフェース部にＣＰＲＩを使用し光ファイバ等の高速回線で両装置をつないだ接続線である。
【００３６】
ＤＥＭＵＸ／ＭＵＸ３ｄ及びＭＵＸ／ＤＥＭＵＸ３ｕがチェーン構成されたときの保守監視信号を効率的に分離・多重するために、比較的簡素な分離・多重フォーマットを構成することが必要である。すなわち、本実施形態のように、ＣＰＲＩ信号の保守監視情報に無線装置固有のヘッダ情報のみ付加して処理する方式が好ましい。伝送レートは、ＣＰＲＩ信号の保守監視情報の伝送レートにヘッダを付加した分、また接続が想定される無線装置の数を伝送可能な伝送レートとする必要がある。
【００３７】
他の実施形態として、図３に、複数の無線装置が存在し、各々がＣＰＲＩラインにより無線制御装置と接続され、低速インタフェースにより無線装置同士が接続されたシステム構成図を示す。図２のシステムが１つの無線制御装置に１つの無線装置が接続されたものであるのに対して、図３のシステムは１つの無線制御装置に複数の無線装置が接続されたものである（無線制御装置とは高速インタフェース、無線装置同士は低速インタフェース）。低速インタフェース（Ｌｏｃａｌ  ＩＮＦ）間を接続する伝送媒体は、有線による通
信、見通し距離であれば赤外線や小電力のマイクロ波回線等を用いてもよいが、それらの通信に必要な変換モジュール等は本発明とは直接関係しないので説明及び図示を省略する。また、通信方式は、基準となる無線装置がマスタとなるフレームフォーマットを固定した時分割通信方式が好ましいが、伝送レートを上げることによりＡＴＭ伝送、ＩＰ伝送、ＣＡＮ通信（ＣＯＮＴＲＯＬＬＥＲ  ＡＲＥＡ ＮＥＴＷＯＲＫ：ＣＡＮバス通信）等を用いてもよいが、本発明とは直接関係しないので説明及び図示を省略する。
【００３８】
発明が解決しようとする課題において、無線装置間を接続する必要性を示すために、障害のあるＣＰＲＩリンクと接続された無線装置に異常をきたした場合を述べたが、無線装置と接続された外部装置についても同様のことがいえる。外部装置は、無線装置が設置された局舎等に付帯する機器のため、集中設置された無線装置の中では任意の無線装置のみに接続されることが多い。例えば図７に示したシステムのように、ＥＸ  Ｕｎｉｔ７が任意の無線装置１１のみに接続される。図７のシステムでは、ＥＸ  Ｕｎｉｔ７の保守監視情報はＣＰＲＩ１を介して無線制御装置８に転送されるが、ＣＰＲＩ１に障害が発生した場合には無線制御装置８はＥＸ  Ｕｎｉｔ７の保守監視情報を取得できない。つまり、ＣＰＲＩ１の障害発生中にＥＸ  Ｕｎｉｔ７が故障した場合、無線制御装置８はＥＸ  Ｕｎｉｔ７の故障を把握することができない。
【００３９】
本実施形態では、図３に示すように、無線装置同士を低速インタフェース（Ｌｏｃａｌ
ＩＮＦ６１、６２、・・・、６ｎ）で接続し、他の無線装置の保守監視情報とともにＥＸ  Ｕｎｉｔ７の保守監視情報を多重化して伝送する構成をとっている。このため、仮にＥＸ  Ｕｎｉｔ７が接続された無線装置１１と無線制御装置８との間のＣＰＲＩリンク（ＣＰＲＩ１）に故障が発生したとしても、無線装置１１にのみ接続されたＥＸ  Ｕｎｉｔ７の保守監視情報を他のＣＰＲＩリンクから取得することが可能となる。
【００４０】
上述した本実施形態による第１の効果は、ＣＰＲＩのチェーン接続機能を有する無線装置において、低速で安価なインタフェースを併せて有するので、高価なインタフェースモジュールを使用しなくても無線装置間で保守監視情報のやり取りを行えることである。
【００４１】
また、上述した本実施形態による第２の効果は、低速で安価なインタフェースを有するものの、該インタフェースはＣＰＲＩの保守監視信号に準拠したインタフェースとするため、ＣＰＲＩのチェーン構成の開発資産を効果的に流用できることである。
【００４２】
また、上述した本実施形態による第３の効果は、低速で安価なインタフェースを用いて複数の全ての無線装置の保守監視情報を授受するため、任意の無線装置の保守監視情報であっても、異なるＣＰＲＩリンクから保守監視情報を取得できることである。
【００４３】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【符号の説明】
【００４４】
１，１１〜１ｎ，１１０〜１１ｎ    ＲＥ（無線装置）
３ｄ    ＤＥＭＵＸ／ＭＵＸ（多重処理部）
３ｕ    ＭＵＸ／ＤＥＭＵＸ（多重処理部）
４ｄ，４ｕ    Ｃ−ＭＵＸ（多重処理部）
５ｒ    ＲＦＵ（無線ユニット）
５ｓ    ＳＶ  Ｕｎｉｔ（監視ユニット）
５ｔ    Ｏｔｈｅｒ  Ｕｎｉｔ（その他ユニット）
６，６１〜６ｎ    Ｌｏｃａｌ  ＩＮＦ（ローカルインタフェース部）
７，７１，７２    ＥＸ  Ｕｎｉｔ（外部装置）
８    ＲＥＣ（無線制御装置）
１０ａ，１０ｂ    無線装置
１１ａ，１１ｂ    高速インタフェース部
１２ａ，１２ｂ    中間多重処理部
１３ａ，１３ｂ    第１中間処理部
１４ａ，１４ｂ    保守監視部
１５ａ，１５ｂ    第２中間処理部
１６ａ，１６ｂ    低速インタフェース部
２０    無線制御装置
２１ａ，２１ｂ    ＩＮＦ（ＣＰＲＩインタフェース部）
【図１】
2010171739.tif 000003
【図２】
2010171739.tif 000004
【図３】
2010171739.tif 000005
【図４】
2010171739.tif 000006
【図５】
2010171739.tif 000007
【図６】
2010171739.tif 000008
【図７】
2010171739.tif 000009